(57)【要約】【課題】録画装置の空き容量が録画可能な容量に満たない場合でも、ユーザーに煩雑な操作を強いることなく録画を実行させる放送受信装置を提供する。【解決手段】複数の録画装置と接続してこの録画装置を制御するための制御コマンドを出力する放送受信装置において、前記各録画装の空き記録容量を確認する空き容量確認手段と、対象となる番組を録画するために必要な記録容量を判断するデーター量判断手段と、番組の録画先として選択された録画装置における前記判断された空き容量が、前記番組を録画するのに必要な記録容量に満たない場合は、この番組を前記選択された録画装置と他の録画装置に分割して録画させる録画制御手段と、を有する。【選択図】図２
2011155475.tif 000002
【特許請求の範囲】
【請求項１】
複数の録画装置と接続してこの録画装置を制御するための制御コマンドを出力する放送受信装置において、
録画先の空き記録容量を確認する空き容量確認手段と、
対象となる番組を録画するために必要な記録容量を判断するデーター量判断手段と、
番組の録画先として選択された録画装置における前記判断された空き記録容量が、前記番組を録画するために必要な記録容量に満たない場合は、この番組を前記選択された録画装置と他の録画装置に分割して録画させる録画制御手段と、を有することを特徴とする放送受信装置。
【請求項２】
前記録画制御手段は、前記確認された空き記録容量が最も多い録画装置を一番目の録画先として選択することを特徴とする請求項１に記載の放送受信装置。
【請求項３】
前記録画制御手段は、番組の放送中に挿入されるＣＭを区切りに前記対象番組を分割して録画することを特徴とする請求項１又は請求項２のいずれかに記載の放送受信装置。
【請求項４】
前記録画制御手段は、録画先の録画装置の空き記録容量がなくなる前に、次の録画装置に分割後の番組を録画させることを特徴とする請求項１〜請求項３のいずれか一項に記載の放送受信装置。
【請求項５】
分割されて各録画装置に記録された番組にかかるデーターに再生順序に応じたインデックスデーターを付与させるインデックス付与手段と、
前記インデックスデーターに対応させて、前記録画装置に再生を行わせる再生命令手段と、を有することを特徴とする請求項１〜請求項４のいずれか一項に記載の放送受信装置。
【請求項６】
複数の録画装置と接続してこの録画装置を制御するための制御コマンドを出力する放送受信装置において、
自機が備える空き記録容量を確認する空き容量確認手段と、
対象となる番組を録画するために必要な記録容量を判断するデーター量判断手段と、
前記判断された自機の空き記録容量が、前記番組を録画するために必要な記録容量に満たない場合は、他の録画装置に分割して録画させる録画制御手段と、を有することを特徴とする放送受信装置。
【請求項７】
分割されて各録画装置に記録された番組にかかるデーターに再生順序に応じたインデックスデーターを付与させるインデックス付与手段と、
前記インデックスデーターに対応させて、前記録画装置に再生を行わせる再生命令手段と、を有し、
前記録画制御手段は、
前記確認された空き記録容量が最も多い録画装置を一番目の録画先として選択し、
番組の放送中に挿入されるＣＭを区切りに前記対象番組を分割して録画し、
録画先の録画装置の空き記録容量がなくなる前に、次の録画装置に分割後の番組を録画させることを特徴とする請求項１に記載の放送受信装置。
【発明の詳細な説明】
【技術分野】
【０００１】
本発明は、放送受信装置に関し、特に、複数の録画装置と接続してこの録画装置を制御するための制御コマンドを出力可能な放送受信装置に関する。
【背景技術】
【０００２】
従来、アンテナ等を介して受信した放送波から映像データー等を取得する放送受信装置が知られている。この放送受信装置では、複数の録画装置と接続し、取得した映像データーを自機又は各録画装置に録画することができる（例えば、特許文献１，２参照）。
【先行技術文献】
【特許文献】
【０００３】
【特許文献１】特開２００８−８４３６６号公報
【特許文献２】特開２００２−１５２６４２号公報
【発明の概要】
【発明が解決しようとする課題】
【０００４】
番組を録画する先の録画装置の記録容量が不足する場合、当然録画は実行されず、ユーザーは一旦、録画装置に記録されたデーターを消去するなどして記録容量を確保する必要がある。このような場合、ユーザーは記録されたデーターが必要なものかどうかを判断する必要があり、ユーザーに煩雑な処理を強いる場合があった。また、番組を直ちに録画したい場合などには、上記のような処理をする場合番組を完全に録画できない場合があった。
【０００５】
本発明は、上記課題にかんがみてなされたもので、録画装置の空き容量が録画可能な容量に満たない場合でも、ユーザーに煩雑な操作を強いることなく録画を実行させる放送受信装置の提供を目的とする。
【課題を解決するための手段】
【０００６】
上記課題を解決するために、本発明では、複数の録画装置と接続してこの録画装置を制御するための制御コマンドを出力する放送受信装置において、前記各録画装の空き記録容量を確認する空き容量確認手段と、対象となる番組を録画するために必要な記録容量を判断するデーター量判断手段と、番組の録画先として選択された録画装置における前記判断された空き容量が、前記番組を録画するのに必要な記録容量に満たない場合は、この番組を前記選択された録画装置と他の録画装置に分割して録画させる録画制御手段と、を有する構成としてある。
【０００７】
上記のように構成された発明では、まず、空き容量確認手段が、放送受信装置に接続された各録画装の空き記録容量を確認する。また、データー量判断手段は、対象となる番組を録画するために必要な記録容量を判断する。そして、番組の録画先として選択された録画装置における前記判断された空き容量が、前記記録容量に満たない場合は、録画制御手段は、この番組を前記選択された録画装置と他の録画装置に分割して録画させる。
【０００８】
そのため、録画先として選択した録画装置の空き容量が録画可能な容量に満たない場合でも、複数の録画装置に分割して番組を録画するため、ユーザーに煩雑な操作を強いることなく録画を実行させることができる。
【０００９】
また、前記録画制御手段は、前記確認された空き容量が最も多い録画装置を一番目の録画先として選択する構成としてもよい。
上記のように構成された発明では、より空き記録容量の多い録画装置を選択することで、番組の分割録画を最小限に抑えることができる。
【００１０】
そして、録画制御手段が番組を分割するタイミングの一例として、前記録画制御手段は、番組の放送中に挿入されるＣＭを区切りに前記対象番組を分割して録画する構成としてもよい。
上記のように構成された発明では、番組の視聴に影響を与えないＣＭ中に番組を分割することで、ユーザーの視聴に影響を与えることなく再生を行うことができる。
【００１１】
また、録画制御手段が番組を分割録画する構成の一例として、前記録画制御手段は、録画先の録画装置の空き記録容量がなくなる前に、次の録画装置に分割後の番組を録画させる構成としてもよい。
上記のように構成された発明では、空き容量不足による録画の失敗を防止することができる。
【００１２】
そして、分割されて各録画装置に記録された番組にかかるデーターに再生順序に応じたインデックスデーターを付与させるインデックス付与手段と、前記インデックスデーターに対応させて、前記録画装置に再生を行わせる再生命令手段と、を有する構成としてもよい。
上記のように構成された発明では、録画された番組の再生時において、再生順序に応じて自動で番組を再生させることが可能となり、再生時にかかるユーザーの操作負荷を低減させることができる。
【００１３】
また、本発明は、番組録画を自機が備えるメディア等に録画する放送受信装置においても、適用することができる。そのため、複数の録画装置と接続してこの録画装置を制御するための制御コマンドを出力する放送受信装置において、自機が備える空き記録容量を確認する空き容量確認手段と、対象となる番組を録画するために必要な記録容量を判断するデーター量判断手段と、前記判断された自機の空き記録容量が、前記記録容量に満たない場合は、他の録画装置に分割して録画させる録画制御手段と、を有する構成としてもよい。
【００１４】
また、本発明の他の局面として、分割されて各録画装置に記録された番組にかかるデーターに再生順序に応じたインデックスデーターを付与させるインデックス付与手段と、
前記インデックスデーターに対応させて、前記録画装置に再生を行わせる再生命令手段と、を有し、前記録画制御手段は、前記確認された空き記録容量が最も多い録画装置を一番目の録画先として選択し、番組の放送中に挿入されるＣＭを区切りに前記対象番組を分割して録画し、録画先の録画装置の空き記録容量がなくなる前に、次の録画装置に分割後の番組を録画させる構成としてもよい。
【発明の効果】
【００１５】
以上説明したように本発明によれば、録画先として選択した録画装置の空き容量が録画可能な容量に満たない場合でも、複数の録画装置に分割して番組を録画するため、ユーザーに煩雑な操作を強いることなく録画を実行させることができる。
また請求項２にかかる発明によれば、より空き記録容量の多い録画装置を選択することで、番組の分割録画を最小限に抑えることができる。
そして請求項３にかかる発明によれば、番組の視聴に影響を与えないＣＭ中に番組を分割することで、ユーザーの視聴に影響を与えることなく再生を行うことができる。
さらに請求項４にかかる発明によれば、空き容量不足による録画の失敗を防止することができる。
また請求項５にかかる発明によれば、録画された番組の再生時において、再生順序に応じて自動で番組を再生させることが可能となり、再生時にかかるユーザーの操作負荷を低減させることができる。
【図面の簡単な説明】
【００１６】
【図１】放送受信装置と録画再生装置との関係を示す図である。
【図２】テレビジョン受像機９０の構成を説明するブロック構成図である。
【図３】録画再生装置の構成を示すブロック構成図である。
【図４】番組を録画する際行われる処理を説明するためのフローチャートである。
【図５】図４のステップＳ５で実行される処理を説明するフローチャートである。
【図６】図４のステップＳ８において、実行される処理を説明するフローチャートである。
【図７】録画再生装置８０ａ、８０ｂに分割して録画された番組を再生してテレビジョン受像機９０に出力する場合の各処理を説明するフローチャートである。
【図８】第２の実施形態にかかる録画再生装置のシステムコントローラーの機能を説明するためのブロック図である。
【図９】第２の実施形態にかかる番組を録画する際行われる処理を説明するためのフローチャートである。
【発明を実施するための形態】
【００１７】
以下、下記の順序に従って本発明の実施形態を説明する。
１．第１の実施形態：
２．第２の実施形態：
３．その他の実施形態：
【００１８】
１．第１の実施形態：
以下、図を参照して、この発明に係る放送受信装置を具体化した第１の実施形態について説明する。図１は、放送受信装置と録画再生装置との関係を示す図である。第１の実施形態では、放送受信装置として、図示しないアンテナが受信した放送波を映像として出力するテレビジョン受像機をもとに説明を行う。
【００１９】
図１に示すようにテレビジョン受像機９０と録画再生装置８０ａ、８０ｂとは、ＨＤＭＩ（High Definition Multimedia Interface）規格のケーブル７０を介して接続されており、録画再生装置８０ａ，８０ｂとテレビジョン受像機９０との間でデーター及び制御コマンドを通信することが可能である。また、テレビジョン受像機９０は、例えば録画再生装置８０ａに番組の録画を実行させる際、この録画再生装置８０ａが保持する空き記録容量が番組の録画に必要な記録容量に満たない場合は、番組を録画再生装置８０ａと録画再生装置８０ｂとに分割して録画させることが可能である。
【００２０】
＝＝＝テレビジョン受像機９０の構成＝＝＝
図２は、テレビジョン受像機９０の構成を説明するブロック構成図である。テレビジョン受像機は以下の要部を備えて構成されている。符号９１は、ＨＤＭＩ通信部であり、録画再生装置８０ａ、８０ｂのＨＤＭＩ通信部８５（後述）との間でデーターの通信を行なう。符号９２は、制御部であり、テレビジョン受像機の駆動を制御する。符号９３は、フロントエンド部であり、図示しないアンテナが受信した放送電波からリモコン装置により選局されたチャンネルのデジタルデーターを抽出する。符号９４は、バックエンド部であり、選択されたデジタルデーターから映像信号及び音声信号を復号化し、出力する。符号９５は、ディスプレイであり、復号された映像信号をもとに映像を出力する。符号９６は、スピーカーであり、復号された音声信号をもとに音声を出力する。符号９７は、ＯＳＤ回路であり、バックエンド部９４から出力される映像信号にＯＳＤ画像を合成する。符号９８は、リモコン受信部であり、リモコン装置から出力される赤外線信号を受信し、制御部９２に制御コマンドを出力する。符号９９は、バッファメモリーである。
【００２１】
制御部９２は、リモコン受信部９８を介して入力される制御コマンド、及びＨＤＭＩ通信部９１を介して録画再生装置８０から送信されたＣＥＣ規格に準じた制御コマンドにより、テレビジョン受像機の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されており、ＲＯＭに記録されたプログラム等を実行することで各機能を実現する。なお、制御部９２と、テレビジョン受像機を構成する各部はバスを介して接続されており、このバスを介して制御が行われる。
【００２２】
また、制御部９２は、少なくとも、空き容量確認部（空き容量確認手段）９２ａ、データー量判断部（データー量判断手段）９２ｂ、録画命令部（録画制御手段）９２ｃと、シーン監視部９２ｄと、再生命令部９２ｅとの機能を備えている。
【００２３】
空き容量確認部９２ａは、録画再生装置８０ａ，８０ｂに対して空き容量の確認を行う。即ち、空き容量確認部９２ａは、ＨＤＭＩ通信部９１を通じて、録画再生装置８０ａ，８０ｂの現時点での空き記録容量を確認するための制御コマンドを送信する。そして、空き容量確認部９２ａは、録画再生装置８０ａ，８０ｂから空き記録容量を示す返信を受ける。
【００２４】
データー量判断部９２ｂは、録画対象番組のデーター容量を判断する。即ち、データー量判断部９２ｂは、ＳＩ情報から番組のデーター量を示す情報を取得し、録画対象番組のデーター容量を判断する。
【００２５】
録画命令部９２ｃは、録画再生装置８０ａ，８０ｂに対する録画処理を実行させる。即ち、録画命令部９２ｃは、録画再生装置８０ａ，８０ｂに対して番組の録画を実行するための制御コマンドを出力する。更に、本実施形態にかかる録画命令部９２ｃでは、上記確認された録画再生装置の空き記録容量が、録画対象番組を録画するのに必要な記録容量よりも少ない場合は、録画対象番組のデーターを、録画再生装置８０ａと録画再生装置８０ｂに分割録画させる。
【００２６】
シーン監視部９２ｄは、録画中の番組の本編が放送されている状態か、ＣＭが放送されている状態であるかを判断する。シーン監視部９２ｄは、バックエンド部９４が復号したデジタルデーターからＣＭ放送特有の特徴を抽出することで番組がＣＭ放送中であるか本編放送中であるかを判断する。番組がＣＭ放送中であるかを判断する方法の一例として、デジタルデーターの画角、音質、及びシーン（輝度）の変化を用いて実行すればよく、従来技術であるため説明を省略する。
【００２７】
再生命令部９２ｅは、録画再生装置８０ａ，８０ｂに対して記録されたデーターの再生処理を実行させる。また、再生命令部９２は、番組が録画再生装置８０ａ，８０ｂに分割して録画されている場合は、録画再生装置８０ａ，８０ｂとそれぞれ協力しつつ分割された番組を再生する。
【００２８】
フロントエンド部９３は、各種アンテナが受信した放送電波からユーザーがリモコン装置により選局されたチャンネルの変調信号を抽出する選局部や、選局された変調信号からデジタルデーターを抽出する伝送路復号部を備えて構成されている。
【００２９】
バックエンド部９４は、取得されたデジタルデーターのスクランブルを解除するデスクランブル部や、スクランブルを解除されたデジタルデーターからＭＰＥＧ形式の映像・音声信号、及びＴＳ信号を取り出すＭＰＥＧ多重分離部、更には、映像・音声信号を復号する映像・音声復号部を備えて構成されている。
【００３０】
ＨＤＭＩ通信部９１は、録画再生装置８０ａ，８０ｂに実装されるＨＤＭＩ通信部８５（後述）との間でＨＤＭＩ規格に準じた通信を行うためのインタフェ−スであり、映像・音声データー及び制御コマンドを通信する。また、本実施形態では制御コマンドとして、ＣＥＣ（Consumer Electronics Control）規格に準じた制御コマンドを用いる。この制御コマンドにより、テレビジョン受像機９０からは、ケーブル７０を通じて録画再生装置８０ａ，８０ｂの駆動を制御することが可能となる。
【００３１】
＝＝＝録画再生装置の構成＝＝＝
以下、図３は、録画再生装置の構成を示すブロック構成図である。なお、録画再生装置８０ａと録画再生装置８０ｂは、その構成が同じであるため録画再生装置８０ｂの構成の説明は省略する。
【００３２】
録画再生装置８０は、以下の要部を備えて構成されている。符号８１は、メディア制御部であり、所定のメディアをもとに録画又は再生を行う。符号８２は、システムコントローラーであり、録画再生装置８０の駆動を制御する。符号８３は、メモリーカードであり、所定のデーターを記憶する。符号８４は、ＯＳＤ回路であり、メディア制御部８１が出力するデーターにＯＳＤ画像を重畳させて出力する。符号８５は、ＨＤＭＩ通信部であり、ＨＤＭＩ規格に準じてデーターを送信する。符号８６は、リモコン受信部であり、図示しないリモコン装置から送信される制御信号をシステムコントローラー８２に送信する。符号８７は、フロントエンド部であり、図示しないアンテナが受信した放送電波からリモコン装置により選局されたチャンネルのデジタルデーターを抽出する。符号８８は、バックエンド部であり、選択されたデジタルデーターから映像信号及び音声信号を復号化し、出力する。
【００３３】
メディア制御部８１は、ＢＤ（ブルーレイディスク）やＤＶＤ等のメディアに記憶されたデーターを光ピックアップ部により読取り、ＨＤＭＩ通信部８５を通じてテレビジョン受像機に送信する。また、録画再生装置８０がテレビジョン受像機から出力されるデーターをケーブル７０を通じて受信した場合は、メディア制御部８１は光ピックアップ部により取得したデーターをメディアに記憶させる。
【００３４】
システムコントローラー８２は、図示しないＣＰＵや、ＣＰＵを駆動させるためのプログラムやデーターが記憶されたＲＯＭ、及びＣＰＵのワークエリアとして作用するＲＡＭを備えて構成されている。また、システムコントローラー８２は、ユーザーがリモコン受信部８６を介して送信した制御信号により、録画再生装置８０の駆動を制御する。さらに、システムコントローラー８２は、ＲＯＭに記録されたプログラムを実行することで以下に示す各機能を実現する。なお、システムコントローラー８２と、録画再生装置８０を構成する各部はバスを介して接続されており、このバスを介して制御が行われる。
【００３５】
空き容量返信部８２ａは、テレビジョン受像機からＨＤＭＩケーブル７０を通じて送信された空き記録容量を確認する制御コマンドを受信すると、ＨＤＭＩ通信部８５を制御して、メディアの空き記録容量を返信する。
【００３６】
録画制御部８２ｂは、テレビジョン受像機から番組の録画命令を示す制御コマンドが出力されると、この制御コマンドを受信して番組の録画にかかる制御を行う。また、録画制御部８２ｂは、録画命令部９２ｃから録画対象番組を分割して録画する旨の制御コマンドを受信した場合は、録画対象番組を所定条件に応じて録画する。
【００３７】
インデックス付与部８２ｃは、録画された番組にかかるデーターを特定するためのインデックスデーターを付与する。即ち、テレビジョン受像機が番組を分割して録画するよう命令した場合、インデックス付与部８２ｃは、録画した番組の再生順序が何番目に位置するのかを示すインデックスデーターを番組データーに付与する。
【００３８】
再生制御部８２ｄは、テレビジョン受像機９０から出力される制御コマンドに応じてメディアに録画された番組を再生するための制御を行う。即ち、テレビジョン受像機９０からデーター再生を示す制御コマンドが入力すると、再生制御部８２ｄは、メディア制御部８１を制御してメディアに記録された番組データーを再生し、ＨＤＭＩ通信部８５を通じてテレビジョン受像機９０に出力する。
【００３９】
フロントエンド部８７は、テレビジョン受像機９０から送信された録画開始を示す制御コマンドを受信した場合は、図示しないアンテナが受信した放送電波から録画対象番組にかかるデジタルデーターを抽出する。バックエンド部８８は、フロントエンド部８７が抽出したデジタルデーターから映像信号及び音声信号を復号化し、メディア制御部８１に出力する。
【００４０】
＝＝＝番組録画にかかる処理について＝＝＝
図４は、番組を録画する際行われる処理を説明するためのフローチャートである。なお、図４に示す、テレビジョン受像機９０及び録画再生装置８０ａ，８０ｂ間の制御コマンドの通信は、それぞれＨＤＭＩケーブル７０を介して行われ、以下その経路における説明は省略する。
【００４１】
ステップＳ１では、テレビジョン受像機が録画再生装置８０ａ、８０ｂに空き記録容量の確認を行う。即ち、空き容量確認部９２ａは、録画再生装置８０ａ，８０ｂに対して空き記録容量の返信を求める制御コマンドを送信する。
【００４２】
ステップＳ２、Ｓ３では、録画再生装置８０ａ、８０ｂは、テレビジョン受像機に空き記録容量を通知する。空き容量返信部８２ａは、空き容量の返信を求める制御コマンドを受信すると、現在のメディアの空き容量を通知する情報をテレビジョン受像機に出力する。
【００４３】
ステップＳ４では、空き容量確認部９２ａは、返信された各録画再生装置８０ａ，８０ｂの空き記録容量を記録する。なお、ステップＳ１〜Ｓ４までの処理は、番組の録画処理とは関係なく所定期間毎に実行される。
【００４４】
ユーザーがリモコン装置等を操作して、テレビジョン受像機９０に番組の録画命令を入力すると、ステップＳ５では、録画命令部９２ｃは録画命令を受信し、番組を録画するために必要な処理を実行する。
【００４５】
図５は、図４のステップＳ５で実行される処理を説明するフローチャートである。ステップＳ２１では、録画命令部９２ｃは、空き容量確認部９２ａが取得した録画再生装置８０ａ，８０ｂの各空き記録容量を比較する。そして、ステップＳ２２では、録画制御部９２は、空き記録容量の多い録画再生装置を優先的に録画先として選択する。空き容量が多い録画再生装置を録画先として優先的に選択することで、番組を分割して録画する回数をできるだけ少なくすることができる。ここで、説明のため、録画再生装置８０ａの空き記録容量が録画再生装置８０ｂの空き記録容量より多いとして説明を行う。
【００４６】
ステップＳ２３では、データー量判断部９２ｂは、今から録画を行う番組のデーター量を取得し、録画に必要な記録容量を判断する。番組のデーターを取得する方法の一例として、データー量判断部９２ｂは、録画予約を行う場合は電子番組表を参照して番組のデーター量を判断する。また、今から放送される番組を録画する場合は、データー量判断部９２ｂは、番組に合成されたＳＩ情報をもとに番組のデーター量を判断する。
【００４７】
ステップＳ２４では、録画命令部９２ｃは、録画再生装置８０ａの空き記録容量と、録画対象番組を録画するのに必要な記録容量とを比較し、録画再生装置８０ａの空き記録容量が録画に不足している場合は（ステップＳ２４：ＹＥＳ）、録画対象番組を分割して録画する。一方、録画再生装置８０ａの空き記録容量が録画に不足していない場合は（ステップＳ２４：ＮＯ）、録画対象番組を分割せず録画再生装置８０ａに録画させる。以下、録画対象番組を分割録画する場合を説明する。
【００４８】
図４のステップに戻り、ステップＳ６では、録画命令部９２ｃは、録画再生装置８０ａに対して番組の録画を開始させるための制御コマンドを出力する。そのため、ステップＳ７では、録画再生装置８０ａは、録画命令部９２ｃから出力された制御コマンドに応じて番組の録画を開始する。
【００４９】
一方、テレビジョン受像機では、録画対象番組の監視を行う（ステップＳ８）。この監視処理では、録画命令部９２ｃが録画対象番組を分割するタイミングを図るために、この番組の内容、及び録画再生装置８０ａの空き記録容量を監視する。
【００５０】
図６は、図４のステップＳ８において、実行される処理を説明するフローチャートである。ステップＳ３１では、録画再生装置８０ａの空き記録容量が閾値Ｔ１以下でない場合は、録画命令部９２ｃはステップＳ３２に進む。なお、閾値Ｔ１は任意に設定された値である。
【００５１】
ステップＳ３２では、シーン監視部９２ｄは、録画対象番組の内容を監視する。ここでは、シーン監視部９２ｄは、録画対象番組の内容として、番組が本編の途中でＣＭに切り替わったか否かを判断する。なお、番組がＣＭに切り替わらない場合は（ステップＳ３３：ＮＯ）、ステップＳ３１に戻る。
【００５２】
番組がＣＭに切り替わった場合（ステップＳ３３：ＹＥＳ）、ステップＳ３４では、録画命令部９２ｃは、現在の録画再生装置８０ａの空き容量を閾値Ｔ２と比較する。録画再生装置８０ａの空き記録容量の確認としては、空き容量確認部９２ａを用いて直接録画再生装置８０ａに問合せる他、現在の空き記録容量と番組データーのビットレートとの関係をもとに算出するものであってもよい。
【００５３】
そして、録画再生装置８０ａの空き記録容量が閾値Ｔ２以下である場合は（ステップＳ３４：ＹＥＳ）、録画命令部９２ｃは、番組の録画先を録画再生装置８０ｂに変更する（Ｓ３５）。そのため、図４のステップＳ９において、テレビジョン受像機９０から録画再生装置８０ｂに録画を開始させるための制御コマンドが出力される。また、ステップＳ３１において空き記録容量が閾値Ｔ１以下となった場合も、録画命令部９２ｃは番組の録画先を録画再生装置８０ｂに変更する（ステップＳ３１：ＮＯ）。そのため、テレビジョン受像機９０から録画再生装置８０ｂに録画対象番組の録画を実行するための制御コマンドが出力され、録画再生装置８０ｂは現在放送中の録画対象番組の録画を開始する（ステップＳ１０）。
【００５４】
更に、録画命令部９２ｃは、録画再生装置８０ａに現在実行している番組録画を停止させる（ステップＳ１１）。そのため、テレビジョン受像機９０からは、録画再生装置８０ａに番組録画を停止するための制御コマンドが出力される。録画再生装置８０ａは、録画停止を示す制御コマンドを受信すると、録画を停止し、メディアに記録された番組にかかるデーターにインデックスデーターを付与する（ステップＳ１２）。このインデックスは、メディアに記録されたデーターを再生する際、分割して録画されたデーターが何番目に再生するデーターであるかを示すものである。
【００５５】
その後、録画再生装置８０ｂによる番組の録画が終了すると、録画再生装置８０ｂのインデックス付与部８２ｃはメディアに記録された番組にかかるデーターにインデックスデーターを付与する（ステップＳ１３）。そして、録画再生装置８０ｂの録画制御部８２ｂは、テレビジョン受像機９０に録画が終了したことを示す制御コマンドを出力する（ステップＳ１４）。そのため、テレビジョン受像機９０の録画命令部９２ｃはこのコマンドを受信して、録画にかかる制御を終了する。
【００５６】
＝＝＝番組の再生にかかる処理について＝＝＝
図７は、録画再生装置８０ａ、８０ｂに分割して録画された番組を再生してテレビジョン受像機９０に出力する場合の各処理を説明するフローチャートである。この図においても、テレビジョン受像機９０と録画再生装置８０ａ，８０ｂ間の制御コマンドの通信はＨＤＭＩケーブル７０を通じて行われるため、その説明は省略する。
【００５７】
ユーザーがリモコン装置等を操作して放送受信装置１００に録画された番組を再生するための命令を出力すると、放送受信装置１００は命令を受付け（ステップＳ４１）、録画された番組を再生するための処理を実行する。
【００５８】
ステップＳ４２において、再生命令部９２ｅは、インデックスデーター１が付与された番組データーを再生するようＨＤＭＩ通信部９１を通じて、録画再生装置８０ａ，８０ｂに制御コマンドを出力する。
【００５９】
録画再生装置８０ａ，８０ｂは、再生命令部９２ｅからの制御コマンドを受信すると、ステップＳ４３，Ｓ４４では、録画再生装置８０ａ，８０ｂの再生制御部８２ｄは対応するインデックスデーター（インデックスデーター１）が付与された番組データーがメディアに記録されているかを参照する。
【００６０】
インデックスデーター１が付与された番組データーは録画再生装置８０ａに記録されているため、ステップＳ４５では、再生制御部８２ｄがＨＤＭＩ通信部８５を通じて、テレビジョン受像機９０に返信を行う。そして、ステップＳ４６において、再生制御部８２ｄは、システムコントローラー８２を制御して、メディアからインデックスデーター１が付与された番組データーを読み出し、テレビジョン受像機９０に出力する。
【００６１】
テレビジョン受像機９０は、録画再生装置８０ａから出力される番組データーを受信すると、ステップＳ４７では、バックエンド部９４により所定の処理を行なった後、ディスプレイ９５に表示させ、映像として出力する。
【００６２】
また、番組データーの出力において、番組データーの再生終了を検出すると（ステップＳ４８）、再生命令部９２ｅは、インデックスデーター２が付与された番組データーを再生するよう、ＨＤＭＩ通信部９１を通じて録画再生装置８０ａ，８０ｂに制御コマンドを出力する（ステップＳ４９）。
【００６３】
録画再生装置８０ａ，８０ｂでは、再生制御部８２ｄがインデックスデーター２が付与された番組データーが記録されているかを確認する（ステップＳ５０，Ｓ５１）。インデックスデーター２が付与された番組は録画再生装置８０ｂが記録しているので、ステップＳ５２において、録画再生装置８０ｂは、ＨＤＭＩ通信部８５を通じてテレビジョン受像機９０に返信を行う。
【００６４】
一方、テレビジョン受像機９０では、再生命令部９２ｅが録画再生装置８０ａに対して番組データーの再生を終了させる制御信号を出力する（ステップＳ５３）。そのため、録画再生装置８０ａは番組データーの再生を停止する。
【００６５】
また、ステップＳ５４において、録画再生装置８０ｂの再生制御部８２ｄは、システムコントローラー８２を制御して、インデックスデーター２が付与された番組データーをテレビジョン受像機９０に出力する。そのため、テレビジョン受像機９０は、録画再生装置８０ｂから出力される番組データーを受信すると、ステップＳ５５では、バックエンド部９４により所定の処理を行なった後、ディスプレイ９５に表示させ、映像として出力する。
【００６６】
以上、説明したように、放送受信装置（テレビジョン受像機）は、録画先として選択した録画再生装置の空き容量が録画可能な容量に満たない場合でも、複数の録画再生装置に分割して番組を録画させるため、ユーザーがいちいち録画再生装置の空き記録容量を確保する必要がなく、ユーザーに煩雑な操作を強いることなく録画を実行させることができる。
【００６７】
＝＝＝変形例＝＝＝
複数の録画再生装置に分割された番組データーをテレビジョン受像機９０が映像として出力する場合において、出力する番組データーを切換える際、各録画再生装置８０ａ，８０ｂから入力した番組データーを一旦バッファメモリー９９に記録させた後、ディスプレイに出力する構成としてもよい。
【００６８】
例えば、図４のステップＳ４８の処理において、テレビジョン受像機９０は、録画再生装置８０ａから入力されたインデックスデーター１が付与された番組データーの後半部分と録画再生装置８０ｂから入力されたインデックスデーター２が付与された番組データーの前半部分を、一旦、バッファメモリー９９に記録させて合成した後、バックエンド部９４に出力する。そのため、インデックスデーター１が付与された番組データーとインデックスデーター２が付与されたデーターは合成されて出力されるため、番組の再生を途中で途切れさせることなく出力させることができる。
【００６９】
２．第２の実施形態：
放送受信装置を具体化する装置としては、テレビジョン受像機に限定されない。例えば、番組の録画先として選択された録画再生装置８０ａが、メディアの空き記録容量が不足していることを内部で判断し、テレビジョン受像機９０の制御を受けることなく、録画対象番組を録画再生装置８０ｂに分割録画する構成としてもよい。
【００７０】
図８は、第２の実施形態にかかる録画再生装置のシステムコントローラーの機能を説明するためのブロック図である。第２の実施形態にかかる録画再生装置８０ａは、第１の実施形態にかかる録画再生装置に加えて、以下の構成を備えている。即ち、録画再生装置８０ａ（８０ｂ）は、システムコントローラー８２の機能として、少なくとも、空き容量確認部１９２ａ、データー量判断部１９２ｂ、録画命令部１９２ｃと、シーン監視部１９２ｄと、再生命令部１９２ｅとの機能を備えている。そのため、録画再生装置８０ａは、番組の録画時において、自機が備える空き記録容量を判断し、この空き記録容量が番組のデーター量に満たない場合は、録画対象番組を録画再生装置８０ｂに分割録画する。なお、上記各部の機能は、第１の実施形態における制御部９２における機能と同一であり説明を省略する。
【００７１】
図９は、第２の実施形態にかかる番組を録画する際行われる処理を説明するためのフローチャートである。以下、図９を参照して、第１の実施形態と異なる部分を主に説明を行なう。
【００７２】
テレビジョン受像機９０から録画再生装置８０ａに録画実行を促す制御コマンドが出力されると、ステップＳ１０１では、録画再生装置８０ａは、自機の空き記録容量の確認を行う。そのため、空き容量確認部１９２ａは、メディアの空き記録容量を判断し記録する。
【００７３】
ステップＳ１０２では、データー量判断部１９２ｂは、録画対象録画を録画するのに必要な記録容量を判断する。このステップＳ１０２では、録画命令部１９２ｃは、自機の空き記録容量と、録画対象番組を録画するのに必要な記録容量とを比較し、録画するのに十分な空き記録容量がない場合は、録画対象番組を分割して録画する。以下、番組を分割することを前提に説明を続ける。
【００７４】
ステップＳ１０３では、録画再生装置８０ａは、番組の録画を開始する。このステップＳ１０３においても、図６に示す処理と同様の処理が実行される。そのため、ステップＳ１０４において、シーン監視部１９２ｄは、録画対象番組の内容を監視し、番組がＣＭに切り替わった場合は、録画命令部１９２ｃが、番組の録画先を録画再生装置８０ｂに変更する（ステップＳ１０５）。そのため、録画再生装置８０ａから録画再生装置８０ｂに番組の録画を実行するための制御コマンドが出力され、録画再生装置８０ｂは現在放送中の録画対象番組の録画を開始する。
【００７５】
以下、第１の実施形態と同様に録画再生装置８０ａは、メディアに記録した番組データーにインデックスを付与する（ステップＳ１０７）。その後、録画再生装置８０ｂの録画が終了した場合は、録画再生装置８０ａに録画終了を示す制御コマンドが出力される（ステップＳ１０９）。そのため、録画再生装置８０ａはテレビジョン受像機９０に録画が終了したことを通知する（ステップＳ１１０）。以上、第２の実施形態を説明した。
【００７６】
３．その他の実施形態：
本発明は様々な変形例が存在する。放送受信装置としてテレビジョン受像機を用いることは一例であり、アンテナと接続して番組を録画させる機能を備えるものであれば、どのような製品であってもよい。
【００７７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００７８】
７０…ＨＤＭＩケーブル、８０ａ，８０ｂ…録画再生装置、８１…メディア制御部、８２…システムコントローラー、８２ａ…記録容量返信部、８２ｂ…録画制御部、８２ｃ…インデックス付与部、８２ｄ…再生制御部、８３…メモリーカード、８４…ＯＳＤ回路、８５…ＨＤＭＩ通信部、８６…リモコン受信部、８７…フロントエンド部、８８…バックエンド部、９０…テレビジョン受像機、９１…ＨＤＭＩ通信部、９２…制御部、９２ａ…空き容量確認部、９２ｂ…データー量判断部、９２ｃ…録画命令部、９２ｄ…シーン監視部、９２ｅ…再生命令部、９３…フロントエンド部、９４…バックエンド部、９５…ディスプレイ、９６…スピーカー、９７…ＯＳＤ回路、９８…リモコン受信部、９９…バッファメモリー、１００…放送受信装置、１９２ａ…空き容量確認部、１９２ｂ…データー量判断部、１９２ｃ…録画命令部、１９２ｄ…シーン監視部、１９２ｅ…再生命令部
【図１】
2011155475.tif 000003
【図２】
2011155475.tif 000004
【図３】
2011155475.tif 000005
【図４】
2011155475.tif 000006
【図５】
2011155475.tif 000007
【図６】
2011155475.tif 000008
【図７】
2011155475.tif 000009
【図８】
2011155475.tif 000010
【図９】
2011155475.tif 000011